(57)【特許請求の範囲】
【請求項１】
光源及び捕獲手段を用意するステップと、
該光源からノミを誘引するのに有効な光を発光させて、前記捕獲手段の端部からノミの１回の跳躍での最大移動距離だけ、前記光の照射方向に向けて離れた箇所のうち少なくとも一つの特定箇所がノミ捕獲対象領域内の最大照度を示すとともにノミを誘引するのに有効な照度１０〔ｌｕｘ〕以上となるように前記光をノミ捕獲対象領域に照射するステップと、
該光源からの光の照射により、該光源の方へ誘引されたノミを前記捕獲手段により捕獲するステップと、を包含するノミ捕獲方法。
【請求項２】
該光源からの光を反射面により反射させるステップ、
前記捕獲手段の端部からノミの１回の跳躍での最大移動距離だけ離れた箇所のうち少なくとも一箇所が、ノミを誘引するのに有効な照度となるように、該光源からの光とともに該反射面からの反射光をノミ捕獲対象領域内に照射するステップ、を包含する請求の範囲第１項に記載のノミ捕獲方法。
【請求項３】
前記光源が高輝度発光ダイオードを含み、該高輝度発光ダイオードからの光の光度が０．３〔ｃｄ〕以上で、且つその主波長が４００〜６００ｎｍであることを特徴とする請求の範囲第１項または第２項に記載のノミ捕獲方法。
【請求項４】
ノミを誘引するのに有効な光を発光する光源と、
該光源の設置された側から下方に傾斜する粘着性の面を含み且つ該光源からの光の照射方向におけるノミ捕獲対象領域上に配置された捕獲部と、を包含し、
前記光は、前記捕獲部の端部からノミの１回の跳躍での最大移動距離だけ、前記光の照射方向に向けて離れた箇所のうち少なくとも一つの特定箇所がノミ捕獲対象領域内の最大照度を示すとともにノミを誘引するのに有効な照度１０〔ｌｕｘ〕以上となるようにノミ捕獲対象領域内に照射されることを特徴とするノミ捕獲装置。
【請求項５】
前記粘着性の面が、前記光源からの光をノミ捕獲対象領域内に反射させる反射面を含み、その反射光を、前記捕獲手段の端部からノミの１回の跳躍での最大移動距離だけ離れた箇所のうち少なくとも一箇所がノミを誘引するのに有効な照度となるように、光源からの光とともにノミ捕獲対象領域内に照射させることを特徴とする請求の範囲第４項に記載のノミ捕獲装置。
【請求項６】
前記光源が高輝度発光ダイオードを含み、該高輝度発光ダイオードからの光の光度が０．３〔ｃｄ〕以上で、且つその主波長が４００〜６００ｎｍであることを特徴とする請求の範囲第４項又は、第５項に記載のノミ捕獲装置。
【発明の詳細な説明】
技術分野
本発明は、人の生活環境に存在するノミを捕獲する方法及びその捕獲装置に関し、特にイヌ、ネコ等の動物に由来するノミを、効果的に誘引し、捕獲するノミ捕獲方法及びノミ捕獲装置に関する。
背景技術
人の生活環境に存在するノミを退治する方法としては、従来、殺虫剤を用いる殺虫方法、あるいは光を用いてノミを誘引し捕獲する方法などがある。
前者の殺虫剤を用いる方法では、殺虫剤が室内に残存したり、ペットに対する安全性が懸念される。また、それらを使用するに際し手間がかかるという問題があった。
一方、後者の光を用いてノミを誘引し捕獲する方法では、前者の方法が有している欠点がない点で好ましい。
従来、提案されている、光を用いてノミを誘引し捕獲する方法としては、例えば、トレーの上部の豆電球を発光させてノミを誘い出し、該トレーの底の粘着シートでノミを捕獲する方法がある。また、粘着シートを有する捕獲器とその上部に化学発光体を配設してなるノミ誘引捕獲器がある。
しかしながら、これら技術では、ノミの誘引／捕獲効果が十分でなかった。
従って、本発明の目的は、上記従来技術の欠点を解決することであり、詳しくは、人の生活空間に存在するノミを効果的に誘引して捕獲でき、しかも、人の生活環境に対して安全で、ノミを高い効率で誘引して捕獲できる優れたノミ捕獲方法及びノミ捕獲装置を提供することにある。
発明の開示
本発明者らは、ノミを光により誘引して捕獲する際に、誘引及び捕獲作用の大きい条件を鋭意検討した結果、下記手段により本発明の目的が達成されることを見いだした。
（１）光源及び捕獲手段を用意するステップと、該光源からノミを誘引するのに有効な光を発光させて、前記捕獲手段の端部からノミの１回の跳躍での最大移動距離だけ、前記光の照射方向に向けて離れた箇所のうち少なくとも一つの特定箇所がノミ捕獲対象領域内の最大照度を示すとともにノミを誘引するのに有効な照度１０〔ｌｕｘ〕以上となるように前記光をノミ捕獲対象領域に照射するステップと、該光源からの光の照射により、該光源の方へ誘引されたノミを前記捕獲手段により捕獲するステップと、を包含するノミ捕獲方法。
（２）該光源からの光を反射面により反射させるステップ、
前記捕獲手段の端部からノミの１回の跳躍での最大移動距離だけ離れた箇所のうち少なくとも一箇所が、ノミを誘引するのに有効な照度となるように、該光源からの光とともに該反射面からの反射光をノミ捕獲対象領域内に照射するステップ、
を包含する上記（１）に記載のノミ捕獲方法。
（３）前記光源が高輝度発光ダイオードを含み、該高輝度発光ダイオードからの光の光度が０．３〔ｃｄ〕以上で、且つその主波長が４００〜６００ｎｍであることを特徴とする上記（１）または、（２）に記載のノミ捕獲方法。
（４）ノミを誘引するのに有効な光を発光する光源と、該光源の設置された側から下方に傾斜する粘着性の面を含み且つ該光源からの光の照射方向におけるノミ捕獲対象領域上に配置された捕獲部と、を包含し、前記光は、前記捕獲部の端部からノミの１回の跳躍での最大移動距離だけ、前記光の照射方向に向けて離れた箇所のうち少なくとも一つの特定箇所がノミ捕獲対象領域内の最大照度を示とともにノミを誘引するのに有効照度１０〔ｌｕｘ〕以上となるようにノミ捕獲対象領域内に照射されることを特徴とするノミ捕獲装置。
（５）前記粘着性の面が、前記光源からの光をノミ捕獲対象領域内に反射させる反射面を含み、
その反射光を、前記捕獲手段の端部からノミの１回の跳躍での最大移動距離だけ離れた箇所のうち少なくとも一箇所がノミを誘引するのに有効な照度となるように、光源からの光とともにノミ捕獲対象領域内に照射させることを特徴とする上記（４）に記載のノミ捕獲装置。
（６）前記光源が高輝度発光ダイオードを含み、該高輝度発光ダイオードからの光の光度が０．３〔ｃｄ〕以上で、且つその主波長が４００〜６００ｎｍであることを特徴とする上記（４）又は（５）に記載のノミ捕獲装置。
更に、上記（１）から（３）に記載の本発明のノミ捕獲方法において好ましい態様を以下に示す。
前記反射面が、前記光源からの光が到達する側に向けて傾斜されていることを特徴とする前記ノミ捕獲方法。
前記反射面の傾斜角度が、設置面に対して５〜６０°であることを特徴とする前記ノミ捕獲方法。
前記反射面が、前記光源より下方に配置され、且つ光源からの光の照射方向における設置面上に配置されることを特徴とする前記ノミ捕獲方法。
前記反射面で反射した反射光が、ノミを誘引するのに有効な光であることを特徴とする前記ノミ捕獲方法。
前記反射面の光の全反射率が、５０％以上であることを特徴とする前記ノミ捕獲方法。
前記捕獲手段が、粘着シートと電撃殺虫装置のいずれか一方を含むことを特徴とする前記ノミ捕獲方法。
前記反射面が、粘着性を有することを特徴とする前記ノミ捕獲方法。
前記光源を、点滅させることを特徴とする前記ノミ捕獲方法。
前記光源の点滅の周期が、３０Ｈｚ以下であることを特徴とする前記ノミ捕獲方法。
また、上記（４）から（６）に記載の本発明のノミ捕獲装置において好ましい態様を以下に示す。
前記反射面の傾斜角度が、設置面に対して５〜６０°であることを特徴とする前記ノミ捕獲装置。
前記反射面の光の全反射率が、５０％以上であることを特徴とする前記ノミ捕獲装置。
本発明者らは、ノミを光により誘引して、その誘引されたノミを捕獲する際のノミの誘引・捕獲作用を改良するために鋭意検討した。その結果、光源からの光を発光して、少なくとも、ノミ捕獲対象領域内の特定の箇所における光の照度を、ノミを誘引するのに有効な照度とすることにより、ノミは光源の方向に著しく効果的に誘引され、その誘引されたノミを捕獲手段により、効率的に捕獲できる。
本発明においては、光源からの光の照射と、ノミを誘引するのに有効な照度でもって照射された上記特定の箇所が相乗効果をもたらし、捕獲手段や光源の近くにいるノミばかりでなく、かなり離れた場所のノミまでが光源の方向に強く誘引されると考えられる。更に捕獲手段の近傍、即ち捕獲手段の端部までノミの１回の跳躍で到達できる箇所に近づいたノミは、該箇所がノミを誘引するのに有効な照度になるように照射されているので、確実に光源の方向に誘引され、略１回の跳躍で捕獲手段に到達して捕獲されると考えられる。
また、本発明においては、電球等の後部に配置されたリフレクターとか、電球の前部に配置された光拡散板等を用いて光源自体を大きくしなくとも、ノミの捕獲対象領域の特定の領域を特定の照度にすることにより、ノミを著しく効果的に誘引／捕獲することができるばかりでなく、装置自体がコンパクトにでき、わずかなスペースでも本発明の装置を設置することができる。
本発明において、「ノミ捕獲対象領域」とは、本発明の方法及び装置を実施して、ノミを捕獲しようとする領域のことを言う。例えば、本発明における捕獲手段を配置した床面、カーペット、畳等の設置面が挙げられる。
上記ノミ捕獲対象領域内の特定の箇所とは、捕獲手段の端部から、ノミの１回の跳躍で移動する最大距離だけ離れた箇所である。因みに、ネコノミが１回の跳躍により移動する最大値は、約３０ｃｍ〜４０ｃｍである。
また、本発明において、該捕獲手段の端部から該最大移動距離だけ離れた箇所を、ノミを誘引するのに有効な照度とするが、該箇所のすべてをノミを誘引するのに有効な照度としてもよいし、該箇所の少なくとも一部をノミを誘引するのに有効な照度としてもよい。この場合、ノミを誘引するのに有効な照度となる箇所は、光源からの光の照射方向にあり、上記ノミ捕獲対象領域内の最大照度を示す箇所である。
本発明において、上記特定箇所への光源からの光の照射とは、光源から直接該箇所へ光が照射される場合、光源からの光が反射面により反射した反射光が該箇所へ照射される場合、及び上記直接的な光と上記反射光の両方が該箇所へ照射される場合を含む。本発明においては、上記直接的な光と上記反射光の両方が該箇所へ照射される場合が好ましい。
また、ノミを誘引するのに有効な照度は、好ましくは１０〔ｌｕｘ〕以上、より好ましくは２０〔ｌｕｘ〕以上、更に好ましくは３０〔ｌｕｘ〕以上である。
本発明は、従来の技術には示唆も教示もされていない、ノミ捕獲対象領域内の特定の箇所における光の照度を、ノミを誘引するのに有効な照度とするという、ノミの生物学的特徴を利用した新しい概念に基づくものである。
本発明においては、ノミ捕獲対象領域内の特定の箇所における光の照度を、ノミを誘引するのに有効な照度とするが、光源からの光は、該特定の箇所ばかりでなく、該箇所から、光源の光の照射方向に離れた箇所及び／又は該箇所から光源に近い箇所にも照射されることが好ましい。
本発明においては、上記ノミ捕獲対象領域内の特定の箇所における光の照度を、ノミを誘引するのに有効な照度とする手段としては、いずれの手段でもよいが、好ましくは▲１▼光源として高輝度発光ダイオードを用いる手段、▲２▼光源から光を反射面で反射させて、光源からの光ばかりでなく該反射光を用いる手段、又はこれら▲１▼と▲２▼を併用した手段である。
以下、上記▲１▼、▲２▼の好ましい手段について説明する。
▲１▼光源として高輝度発光ダイオードを用いる手段
本発明において光源として好ましい高輝度発光ダイオードとは、発光される光の光度が著しく大きいもので、具体的にはその光度が０．３〔ｃｄ〕以上、好ましくは０．５〔ｃｄ〕以上、より好ましくは１〔ｃｄ〕以上のものである。ここで〔ｃｄ〕は、光度の単位カンデラを表す。
発光光度の測定において、未知の光度の算出は既知の光度を有する発光スペクトルの発光強度を基準とし、測定した未知の発光スペクトルの発光強度とを相対的に対比させ類推することができる。また、光度〔ｃｄ〕＝照度〔ｌｕｘ〕×距離〔ｍ〕2の公式でも算出できる。
また、上記高輝度発光ダイオードの照度は大きいものが好ましい。照度は観測方向に垂直な単位面積当たりの明るさである。
更に高輝度発光ダイオードとしては、４００〜６００ｎｍの発光波長を出すものを使用するのが良い。その発光波長としては好ましくは４２５〜５５０ｎｍ、より好ましくは４５０〜５２５ｎｍである。また、その発光波長としては４５０ｎｍの純青色及び５１０ｎｍの純緑色が特に好ましい。
上記でいう発光波長は、主波長の値であり、光の発光スペクトルにおける発光ピークの波長を意味する。本発明に用いる発光ダイオードの発光による光は、発光スペクトルにおける波長分布が狭く、高色純度を有することが好ましく、発光スペクトルのパターンが主波長をピークに左右にほぼ正規分布している単色光が好ましい。
上記発光ダイオードの発光は、常時点灯方式でもよいが、点滅方式であることが好ましい。これにより、より効率的にノミを誘引することができる。ここで点滅させる周期としては、３０Ｈｚ以下であることが好ましく、より好ましくは２０Ｈｚ以下である。
更に、デューティー比（１回のＯＮ−ＯＦＦ時間に対するＯＮしている時間の比率）は５０％以下が好ましく、より好ましくは１０％以下である。これにより、許容順電流値を向上させることができ、それにより高光度の光を長時間発光させることができ、ノミの捕獲率をより向上させることができる。
上記のように発光ダイオード自体を点滅させる他にも、発光ダイオードは連続で発光させ、シャッター等の光を遮る手段を設けて点滅させてもよい。
発光ダイオードの光の色はノミの誘引性と関連性があるようであり、白とか緑の色が好ましいようである。例えば発光ダイオードを２個使用する場合には、白・白、緑・緑というように同じ色の組合せでもよいし、異なった組合せでもよい。但し、白色光は可視光域では各種の色の組み合わせとなっているが、純色の緑色や純色の青色を基本とした発光スペクトルに、６００ｎｍまでの蛍光色である黄色等の発光スペクトルを組み合わせた配色の白色光が好ましい。
本発明において、上記高輝度発光ダイオードは２個以上用いることができる。
発光ダイオードを光源として用いると、乾電池を長時間使用することが可能となり、省電力化を実現し、またコードレス化も可能となり、屋外、犬小屋、タンス、クローゼット等でも使用可能で、設置範囲が拡大する。また、上記のような光源の電源としては、充電式の電源を用いるとよい。
高輝度発光ダイオードの光の照射方向としては、上記特定箇所がノミを誘引するのに有効な照度になるように照射されればいずれの方向でもよいが、好ましくは設置面に対して水平方向もしくはやや下向きが好ましい。
また、▲１▼の手段においては、光源として上記高輝度発光ダイオードを用いるが、他の要件は、上記特定の箇所における照度を特定の照度となればいずれの要件でも用いることができる。
▲２▼光源からの光ばかりでなく、光源からの光を反射面で反射させて、該反射光を用いる手段
本発明においては、該反射面からの反射光を、前記捕獲手段の外側からノミの１回の跳躍での最大移動距離だけ離れた箇所のうち少なくとも一箇所がノミを誘引するのに有効な照度となるように、光源からの光とともにノミ捕獲対象領域内に照射させる。
反射面で反射した光の光度は、大きいほうが好ましいので、反射面の反射率が高いことが好ましい。具体的には、反射面の全反射率〔（反射した光の光度／光源から入射した光の光度）×１００で表される〕は、５０％以上が好ましく、より好ましくは８０％以上である。ここで全反射率とは、鏡面反射率（正反射率）と乱反射率（拡散反射率）の和をいう。本発明においては、反射面が乱反射するものでもよい。
ここで、上記全反射率〔鏡面反射率（正反射率）と乱反射率（拡散反射率）〕は、例えば変角光度計（ゴニオフォトメーター）により測定することができる。
反射した光の波長としては、ノミを効率的に誘引できる波長であれば上記光源からの光と同じでも、変化してもいずれでもよい。
本発明においてノミを誘引するのに有効な反射光とは、反射した光がノミを誘引することができる波長、光度を有するものである。その波長としては、４００〜６００ｎｍが挙げられ、光度としては、０．１５〔ｃｄ〕以上が挙げられる。
このような反射面を有する反射板としては、アルミニウム、銅、銀、金、ニッケル、真鍮、クロム等の金属またはそれらの合金、あるいはこれらの金属、合金を基体上に被覆した反射板（鏡等）、
硅素酸化物、チタン酸化物、花崗岩、石灰石、大理石、石膏、ガラス、人工ルビー、人工ダイヤ、人工エメラルドなどの単結晶等の無機材料またはそれらの混合物、あるいはこれらの材料を基体上に被覆した反射板、
木材、絹、木綿、紙等の天然材料またはそれらの混合物、あるいはこれらの材料を基体上に被覆した反射板
等が挙げられ、上記特性を満足させるものが挙げられる。
また、所定の基体を、低密度ポリエチレン（ＬＤＰＥ）、高密度ポリエチレン（ＨＤＰＥ）、ポリエチレン（ＰＥ）、超低密度ポリエチレン（ＶＬＤＰＥ）、エチレン−酢酸ビニル共重合体（ＥＶＡ）、ポリ塩化ビニリデン（ＰＶＤＣ）、ナイロン（ＮＹ）、延伸ナイロン（ＯＮＹ）、延伸ポリプロピレン（ＯＰＰ）、未延伸ポリプロピレン（ＣＰＰ）、ポリエチレンテレフタレート（ＰＥＴ）、ポリスチレン（ＰＳ）、エチレン−ビニルアルコール共重合体（ＥＶＯＨ）等の樹脂で被覆して、上記特性を満足させたものも挙げられる。
上記において基体としては、ボール紙、厚紙等の紙、樹脂シート、金属板、ガラス等が挙げられる。
これらの中で好ましいものとしては、基体としてのボール紙又は樹脂シートに、上記材料（金属材料、無機材料、天然材料等）を被覆し、更にＬＤＰＥ、ＨＤＰＥ、ＰＥ、ＶＬＤＰＥ、ＥＶＡ、ＰＶＤＣ、ＰＥＴ、ＥＶＯＨ等の樹脂で被覆したものが挙げられ、より好ましくは基体としてのボール紙に、上記材料を被覆し、更にＰＥＴで被覆したものである。
また、上記反射面の光の反射を調整するために、研磨処理、陽極酸化処理等の処理を施すこともできる。
上記反射面の色としては、反射光と関係するが、具体的には白、灰色、青、緑、黄、銀色、金色、茶色等が挙げられる。ノミを効率的に誘引するには、光源からの光のところで記載の如く、青、緑が好ましい。また、純色の緑色や純色の青色を基本とした発光スペクトルに、６００ｎｍまでの蛍光色である黄色等の発光スペクトルを組み合わせた配色の白色光も好ましい。
反射面が乱反射するものである場合、乱反射率としては、好ましくは５０〜１００％であり、より好ましくは８０〜１００％である。
乱反射させるためには、上記の反射板において、基体上にガラス、アルミニウム、銀等の金属、樹脂、気泡等の光拡散性物質の粉、細片、ビーズを有するもの等が挙げられる。上記光拡散性物質は基体上にドット状またはストライプ状に設けることができる。また、上記反射板の反射面に、小孔や突起を設けたり、階段状に成形したりするような凹凸を設けて乱反射させることもできる。更には、反射率の異なる、表面が凹凸状の透明なガラスや樹脂を積層したシートを反射板上に被覆することで乱反射させることもできる。
上記のような特性を有する反射面は、本発明において、複数用いることができる。
本発明における▲２▼の手段における、ノミを誘引するのに有効な光を発光するための光源としては、白熱電球、豆電球、蛍光灯、発光ダイオードなど、ノミを誘引するのに有効であればどのような光源も使用することもできる。しかし、消費電力が少ない、寿命が長い、ノミの誘引効果が高い波長の光を出せる等の点から、発光ダイオードを用いることが好ましい。
特に、特定の光度であって、特定の範囲の波長を有する光を発する上記高輝度発光ダイオードを選択して用いることが好ましい。即ち、上記▲１▼の手段と▲２▼の手段を併用することが好ましい。
上記▲１▼の手段と▲２▼の手段を併用することにより、人の生活環境で発生、存在するノミ、特にイヌ、ネコから離れたノミに対して、優れた誘引活性を得ることができ、その誘引されたノミを捕獲手段により著しく高い率で捕獲することができる。
本発明においては、レンズ等を使用して光源からの光を遠方に照射させることもできる。
上述のような反射面は、その反射光が光源からの光とともにノミ捕獲対象領域に照射され、該領域内における、前記捕獲手段の端部からノミの１回の跳躍での最大移動距離だけ離れた箇所においてもノミを誘引するのに有効な照度となるように、光源からの光が到達する側に傾斜されていることが好ましい。
これにより、光源としての更なる相乗的な効果をもたらし、誘引活性を速くすることができるし、かつ装置がコンパクト化されても装置の周囲に誘引されたノミを確実に捕獲することができる。
傾斜をつけた反射面に光が映ると、周囲の床面（ノミ捕獲対象領域）に反射して、反射面自体もノミが光源と感知し、誘引されたノミは反射面にめがけて飛び込む現象がみられる。
反射面について、設置面（水平面）に対してつける傾斜角度Ｘは、最小が光源からの光を最低限床面に入射できる角度から最大が９０°未満である。その角度は、好ましくは５〜６０°、より好ましくは１０〜２５°である。
本発明において、反射面は、光源より下方に配置され、且つ光源からの光の照射方向における設置面上に配置されることが好ましい。これにより、装置の設計上都合がよく、装置のコンパクト化が可能になる。
本発明における▲２▼の手段では、光源の光が反射面に映るようにする関係上、光源の高さと反射面との位置関係が非常に重要である。反射面から反射した光は、ノミの誘引活性の上からその全部が床面に向かうようにするのが好ましい。
光源Ｌの高さは低い方が良く、これは光源Ｌの高さが高くなるほど、１）光源の指向特性には限界があるため、また２）光源が離れるほど、反射面に対する照度（ルックス）が低下するため、反射面に光が映りにくくなるという点によるものである。
従って、光源Ｌの位置は、本発明の装置の１態様を表す図２に示すように、反射面（図２の装置は、反射面が捕獲手段である粘着シートも兼ねている）の光源に最も近いポイントＢを基準として、そこから上方への距離が０〜１０ｃｍが好ましい。より好ましくは２〜５ｃｍである。
一方、反射面の光源に最も遠いポイントＡは、反射面の下端に当たり、また装置の最前部に当たるが、装置を構成する上での制約がある点に配慮する必要がある。例えば、１）ノミの跳躍力からみて高さは低いほど入りやすい、２）ポイントＡの高さが低いほど光源の光が映りやすいなどの点から、低いほど良いが、他面では３）装置の最前部を構成する部材の強度上からの必要な厚さ、４）粘着シートの下端部を止め支持するための係止部の高さ、５）入ったノミが外へ逃げないための高さなどの点から、ある程度の高さ（ｈ）を必要とする。これらの点を総合して選択することが必要である。
従って、ポイントＡの高さは、設置した床面から０．５〜５ｃｍが好ましい。より好ましくは１〜２ｃｍである。
本発明において、反射面の大きさとしては、３０ｃｍ2〜５００ｃｍ2が好ましく、より好ましくは６０ｃｍ2〜１００ｃｍ2である。
以下、上記▲１▼あるいは▲２▼の手段以外の本発明の構成について説明する。
本発明において、上記光源の光の照射により、光源の方へ誘引されたノミを捕獲する捕獲手段としては、誘引されたノミを捕獲、あるいは殺虫できるものであればいずれでもよい。例えば、誘引されたノミを粘着力で捕獲できる粘着シート、静電気にて吸着するシート、誘引されたノミを電気的に殺虫できる電撃殺虫装置、殺虫剤塗布シート、水を入れた容器等が挙げられる。これらの中でも粘着シートが好ましい。
ノミを粘着力で捕獲できる粘着シートとしては、従来の粘着シートを用いることができる。
この粘着シートは、装置のシート装着部に上部又は下部等より貼着、挟持、ネジ止め、はめ込み式などにより設けることができる。粘着シートは、複数層を両面粘着シートにして剥がしながら何回でも使用したり、一面又は両面を洗い流しながら使用したり、表裏両面を使えるようにすることができる。
なお、粘着シートに直接子供の指やペットの足などが触れないようにするため、またほこりや昆虫が入ってその粘着面を塞がないようにするために、粘着シートの上に格子等の被覆部材を設けると良い。格子等の被覆部材は、その材質が透明で粘着面（これが反射面も兼ねる場合）からの光の反射を阻害しないものがよく、或いはその面がよく反射する材質のもので構成するようにしてもよい。また、格子等の被覆部材は粘着シートから少し離して設けて取り外しができるようにするのがよく、汚れたときに適宜取り外して洗浄可能にすることもできる。また、上記格子等の被覆部材、更に本発明の装置の構成部材は、撥水剤、撥油剤、帯電防止剤等で処理されてもよく、これにより汚れがつきにくくなる。
粘着シートは、それ自体が上述の反射面になっていてもよいし、反射面とは別に設けていてもよい。
粘着シートは、シートの上面に粘着剤を予めあるいは使用するに際し塗膜が形成されるようにすればよい。粘着シートが反射面とは別に設けられている場合、その塗膜の表面が一般に平滑なものであっても、凹凸等を有してもよい。ノミを捕獲できるものであれば、粘着面の形状は任意であって特定のものに限定されることはない。また、粘着剤は、ノミを有効に捕獲できるものであればいずれのものでも用いることができる。粘着面は、粘着スプレーなどによる粘着面でもよい。粘着シートの表面が凹凸を有するものとして、粘着シートが立体的網目形状、立体的格子状のものが挙げられる。そのような粘着シートは、発泡率を高くして形成した網目状ないし立体的格子状スポンジ或いは網目状ないし立体的格子状の針金加工体、ハニカム状のもの（素材紙、ダンボール、樹脂、発泡体、金属、ゴム、スポンジ等）の表面全体に粘着剤を、浸漬処理、スプレー等により付着させて粘着性を付与して、作製することができる。これにより、光透過性がよく、且つ粘着箇所が大きくなる。
粘着シートの大きさは、使用する室内の大きさやノミの捕獲効率などによって決まるが、例えば５ｃｍ〜１０ｃｍ×７ｃｍ〜１５ｃｍが好ましい。
また、本発明においては、捕獲手段としての粘着シートが上記反射面も兼ねる場合が好ましい。これにより、光源による光とその反射光を利用することで、該粘着シート面積の大小に関わらず、高効率でノミを捕獲することができ、これにより、該シートの面積を小さくすることができ、ノミ捕獲装置のコンパクト化が可能になり、屋外等への持ち運びが簡便となったり、該装置の専有面積を小さくできる。
この場合、反射面と粘着面を兼ねるものとしては、反射率の高い反射板上に、高い光透過率と低い光吸収率を有する粘着剤を塗工したもの等が挙げられる。
上記のような反射面が、粘着シートの粘着面と別に設けられている場合には、粘着シートを光透過性材料とし、そのシートの下に反射板を重ねる形態、
粘着シートの上に、ノミの捕獲に障害にならないような、多数の穴あるいはスリットを有する被覆部材（この形態としては格子状、ストライプ状、網目状等が挙げられる）を設け、その被覆部材の表面が反射面となる形態、その他、粘着シートとは別に装置の一部（装置本体や光源上部に設けられた庇の裏側等）が反射面となる形態、
及びこれらの形態を組み合わせたものを挙げることができる。本発明においては、反射面は装置中複数あってもよい。
本発明を実施するに当たり、その方法及び装置には、他の誘引手段あるいは殺虫手段を一緒に設けてもよい。そのような例としては、ヒータ等の加熱手段、炭酸ガス発生装置、酪酸、乳酸等の誘引剤を含有する手段等を挙げることができる。例えば、酪酸、乳酸等の誘引剤を含有する手段としては、本発明の装置のいずれの場所にも設置することができる。特に、粘着シートの粘着材及び／又はシートに上記誘引剤を置いたり、添加したり、練り込み、塗布、含浸、噴霧、貼着、印刷することができる。
更に必要に応じて、アレスリン、レスメトリン、ペルメトリン、シペルメトリン、シハロトリン、シフルトリン、フエンプロパトリン、トラロメトリン、シクロプロトリン、フェンバレレート、エスフェンバレレート、エトフェンプロックス、エンペントリン、プラレスリン、トランスフルスリン、フェノトリン、シフェノトリン等あるいは、それらの異性体、誘導体、類縁体を含むピレスロイド系化合物、ジフルベンズロン、テフルベンズロン、クロルフルアズロン、ブプロフェジン、フェノキシカルブ、メトプレン、ハイドロプレン、ピリプロキシフェン等の昆虫成長制御剤（ＩＧＲ）、ピリミフォスメチル、ダイアジノン、ピリダフェンチオン、フェニトロチオン、クロルピリホスメチル、クロルピリホス、ジクロルボス、マラソン、ジメトエート、ジメチルビンホス、サリチオン、トリクロルホン、エチオン等の有機リン系化合物、カルバリル、メトルカルブ、イソプロカルブ、フェノブカルブ、プロポキスル、キシリルカルブ、エチオフェンカルブ、ベニダイオカルブ、ピリミカーブ、カルボスルファン、メソミル、オキサミル等のカーバメイト系化合物等の殺虫剤を含有させる手段が挙げられ、具体的には本発明の捕獲装置の一部や、粘着シートの粘着剤及び／又はシートに上記殺虫剤を直接若しくは間接的に、殺虫剤をそのまま若しくは希釈して、練り込み、塗布、含浸、噴霧、貼着、印刷、添加することができる。
本発明における駆除対象としては、屋内外に生息するノミ類であり、特に屋内で飼っているネコ、イヌ等のペットから遊離したノミを駆除するのに好適である。具体的には、イヌノミ、ネコノミ、ヒトノミ、ケオプスネズミノミ、ネズミフトノミ、メクラネズミノミ、ヤマトネズミノミ、ヨーロッパネズミノミ、ネズミスナノミ等を挙げることができる。これら種々のノミの１回の跳躍での最大移動距離は、例えば成虫では水平方向で約３０ｃｍ〜４０ｃｍである。
本発明を実施するのに適する装置の１例を図１に示す。ノミ捕獲装置１の本体２は、光源の保持部３と粘着シートの保持部（捕獲部）４からなっている。光源保持部３には、光源（発光ダイオード）８、９が取り付けられており、光源８、９の光の照射方向の設置面（床面あるいは、ノミ捕獲対象領域）上に、粘着シート保持部４の上部に収容された粘着シート５が配置されている。粘着シート５は、光源８、９の光の照射方向に傾斜している（傾斜角度Ｘ°）。
粘着シートの保持部４には、大きさが９×８ｃｍの粘着シート５が収容されており、更に該シート５の上方に格子６が装着されている。格子６は縦９本、横１本の桟からなっており、粘着シート５を収容した枠内に嵌まるようにすると良い。また、格子６は、粘着シート５を交換するために、面７と格子６とが交差する線を中心に回動するようにしてもよい。この場合、図１に示すように、格子６に開口部を設け、格子６が開いた際に格子６が光源に接触しないようにすることができる。
図１において、粘着シート５は、本発明でいう反射面も兼ねている。
光源の保持部３は直方体の形状であって、粘着シート５に面しかつ床面に対してほぼ直立している面（捕獲装置顔部）７には、床面から６ｃｍの高さに、２つの光源８、９が取り付けられている。光源８は緑の高輝度の発光ダイオードであり、光源９は白の高輝度の発光ダイオードである。この光源の保持部３の内部には、発光ダイオード用基板と単２アルカリ乾電池２本を収容した。
ノミ捕獲装置１の本体２の大きさは、（巾×全長×高さ）が１１５×１３５×６５ｍｍであって、小型であった。
前記装置の一部のみを表した図５あるいは図６に示すように、前記の面７の光源８、９の取り付け位置より上に庇１０を取り付けて、装置の上方への光の漏れを防止でき、人に対しての光の刺激を小さくすることができる。
図１に示す装置に、図６に示した庇１０を設けた装置の更に詳細な装置の概念断面図を図８に示す。図８に示す装置１には、図１及び６と同様に、光源４１、庇１０、格子６、面７、粘着シート１５が設けられている。格子６は、粘着シート５を交換するために、面７と格子６とが交差する線を中心に回動するような構成となっており、上記の如く格子６には、開口部が設けられている。装置１本体の内部には、乾電池３２、その上にクッション材３５、クッション材３５の更に上部に、スイッチ３３と光源４１に接続した電子部品基板３４が設けられている。
上記において、庇１０、格子６、面７自体を反射面１１としてもよい。格子６と庇１０を反射面とした例として、図７に示す別の態様のノミ捕獲装置を挙げることができる。図７は、装置の側面の概要図を示したものである。図７に示す装置は、反射面１１が３つ設けてある。即ち、庇１０の突出部を大きくし、該庇１０の下部の面（光源４０に近い面）を第一の反射面１１とする。更に格子６の上部表面を第二の反射面１１とする。また、装置本体において、粘着シート３１に直面している面を第三の反射面１１とし、且つ粘着シートとして透明な粘着シート３１を用いる。これにより、光源からの光は透明な粘着シート３１を透過し、該第三の反射面１１で反射させることができる。
ノミ捕獲装置としてさらに効率良く捕獲できるようにするためには、さらに改良することができ、例えばいかなる方向からも光源の光、反射面からの反射光がノミに見えるように映り、かついかなる方向からもノミが誘引されるようにするのが良く、そのような装置としては図３に示す丸形のノミ捕獲装置（この装置の平面図を図４に示す）を構成することができる。
図３のノミ捕獲装置１は、本体２が丸い笠状の粘着シートの保持部１４と円筒状の光源の保持部１３からなっている。
粘着シートの保持部１４の傾斜した上面には粘着シート１５が収容されており、その上に放射状の骨をもつ格子１６が装着されている。ここで、粘着シート１５は、本発明でいう反射面も兼ねる。
円筒状の光源の保持部１３の周囲の側面１７には４つの光源１８が等間隔で設けられいる。
本発明の装置の他の態様の例として、垂直断面の形状が略長方形（大きい面積の面が底面となる）である装置本体の内部の略中央に光源が設けられており、その光源の上の装置本体の上面に、外部と接する格子が設置されている。該装置本体の側面には、レンズが設置されている。また、該装置本体内部の該光源の周辺部（上記格子の下方）には、ノミを捕獲できる粘着シートが配置されている。その光源の光の照射方向は、少なくとも、設置面に対して略平行で上記レンズの設置位置方向である。光源からの光は、レンズを通って、捕獲手段の端部からノミの１回の跳躍での最大移動距離だけ離れた箇所のうち少なくとも一箇所がノミを誘引するのに有効な照度となるように、ノミ捕獲対象領域に照射される。また、レンズを使用しているので、より遠方にも光源からの光が照射される。この光源からの光の照射により誘引されたノミは、装置本体上面の格子から装置内部に入り、上記格子の下方に位置する粘着シートで捕獲される。
また、上記図１あるいは図３などのように、粘着シートの上方に光源を配置する以外に、更に他の場所にも光源を配置することができる。例えば、図２に示すノミ捕獲装置の側面の概要図を用いて説明すると、光源Ｌ以外に、粘着シート下端（捕獲手段端部）Ａ付近の装置内部に第二の光源を配置することができる。また、該粘着シート下端Ａに接する装置本体側面にレンズを設け、該第二の光源からの光をレンズを通して、ノミ捕獲対象領域に照射することができる。レンズを使用しているので、より遠方にも光源からの光が照射される。また、図２において、光源Ｌ以外に、粘着シート下端（捕獲手段端部）Ａの下方の装置本体の底面に、伸縮自在のレバーやコードを取り付け、そのレバーやコードの装置の反対側の先端部に第二の光源を配置することができる。そのレバーやコードの内部には電源と該光源に接続された電線が通っている。装置を使用する時のその第二の光源の位置は、捕獲手段の端部Ａからノミの１回の跳躍での最大移動距離だけ離れた箇所のうち少なくとも一箇所であることが好ましい。
本発明においては、ノミ捕獲装置の装置本体を、４００ｎｍ〜６００ｎｍの波長の光を吸収する色調を施してもよい。
【図面の簡単な説明】
図１は、本発明の１態様のノミ捕獲装置の斜視図である。
図２は、図１のノミ捕獲装置の側面の概要図である。
図３は、本発明の別の態様の丸型のノミ捕獲装置の正面図である。
図４は、図３のノミ捕獲装置の平面図である。
図５は、本発明の１態様のノミ捕獲装置の発光ダイオード取付面部分の１例の斜視図である。
図６は、本発明の１態様のノミ捕獲装置の発光ダイオード取付面部分の別の１例の斜視図である。
図７は、本発明の別の態様のノミ捕獲装置の側面の概要図である。
図８は、図１のノミ捕獲装置のより詳細な概要断面図である。
図９は、粘着シート端部からの距離とその箇所での照度の関係を示す図である。
図１０は、ノミ捕獲率を試験するための試験室２０の内部上面図である。
図１１は、本発明の別の態様のノミ捕獲装置の斜視図である。
符号の説明
１  ノミ捕獲装置
２  本体
３  光源保持部
４  粘着シート保持部
５  粘着シート（反射面）
６  格子
７  面
８  光源
９  光源
１０  庇
１１  反射面
１３  光源保持部
１４  粘着シート保持部
１５  粘着シート（反射面）
１６  格子
１７  側面
１８  光源
Ａ  粘着シート下端
Ｂ  粘着シート上端
Ｌ  光源
２０  試験室
２１  ループ状絨毯
２２  ノミ放飼位置
２３  本発明のノミ捕獲装置
２４  比較検体
２５  対照
２６  粘着シート
２７  自記温湿度計
３１  透明な粘着シート
３２  乾電池
３３  スイッチ
３４  電子部品基板
３５  クッション材
４０  光源
４１  光源
４２  高輝度発光ダイオード
発明を実施するための最良の形態
〔実施例１〕
本発明における下記試料ａ及びｂと下記市販品Ａを用いて、捕獲手段である粘着シート端部からの距離とその箇所での照度の関係について調べた。更に、下記試料ａと市販品ＡとＢにおけるノミ捕獲試験を実施した。
本発明の試料ａ：
図１に示した本発明の装置で、光源として高輝度発光ダイオードを２つ、即ち１つ目の高輝度発光ダイオードは、緑色光（波長５２５ｎｍ）で、光度３．０〔ｃｄ〕であり、２つ目の高輝度発光ダイオードは、白色光（波長４７０ｎｍと５６０ｎｍ）で、光度０．８〔ｃｄ〕である。上記２つの高輝度発光ダイオードは、点滅させた（デューティー比５０％、周波数１Ｈｚ）。また、粘着面の傾斜角度（Ｘ°）は１５°である。粘着面は、シルバーミラーシートであり、その全反射率は、８５％である。
本発明の試料ｂ：上記試料ａにおいて、１つ目の高輝度発光ダイオード〔緑色光（波長５２５ｎｍ）で、光度３．０〔ｃｄ〕〕のみを発光させた以外は、上記試料ａと同じである。
市販品Ａ：
光源として白熱灯を１つ用い、光源の照射方向に粘着シートが配置され、粘着シートは、設置面に対して実質的に水平である。光源の照射方向の後ろ側にはレフレクターが配置され、且つ光源の照射方向の前面には粘着シートと略同じ幅の照射面（光拡散板）が配置されている。
上記試料ａ、ｂと市販品Ａについて、捕獲手段としての粘着シートの端部（図２の下端Ａ）からの距離（ｍ）とその箇所における設置面（床面）の照度〔ｌｕｘ〕を測定した。該距離は、光源からの光の照射方向での距離である。上記本発明の試料ａの場合、２つの光源の間の中央部から光源の光の照射方向での距離である。
上記各試料の照度測定結果を図９に示す。本発明の試料である試料ａ、ｂは、粘着シートの端部（図２の下端Ａ）からの距離が５０ｃｍのところでも１５〔ｌｕｘ〕を超える照度となった。それに対して、市販品Ａは、粘着シートの端部（図２の下端Ａ）からの距離が２０ｃｍのところでも５〔ｌｕｘ〕程度の照度となった。
次に、上記試料ａと市販品Ａ、更に下記市販品Ｂついて、ノミ捕獲試験を実施した。
市販品Ｂ：底に粘着シートを有し、設置面に対して水平なトレーの上部に、針金の支柱により固定されたカバーの内側に光源としての豆電球１つをねじ込んである装置であり、光源の光の照射方向は、水平方向に対して９０°下向きである。
試験方法：
ケースの中に、上記試料ａと市販品Ａ又は市販品Ｂとを、光源の光の照射方向が互いに向き合うように設置し、その間の距離を３６０ｃｍとする。ケース内を暗くし、各々の装置の光源を発光させた。上記試料ａと市販品Ａ又は市販品Ｂとの中間地点にネコノミ５５頭を放し、その時点からの経過時間とネコノミの移動距離（ネコノミを放した地点からの移動距離）と各々の装置での捕獲数を観察した。上記試料ａと市販品Ａのノミ捕獲試験の結果を下記表１に、上記試料ａと市販品Ｂのノミ捕獲試験の結果を下記表２に示す。
0003955886.tif 000002
0003955886.tif 000003
上記表１及び表２を見ると、市販品ＡとＢは、殆どノミを誘引せず、捕獲もされていない。それに対して、本発明の試料ａは、３時間後には放したノミの８０％以上を粘着シートで捕獲できている。また、ノミを放して１時間後には、試料ａから４０ｃｍ（ネコノミの１回の跳躍での最大移動距離に相当）以内の設置面にかなりの数のノミが誘引されていることが判る。従って、本発明はノミを誘引する効果に速効性があることが判る。
従って、光源からの光をノミ捕獲対象領域に照射して、前記捕獲手段の端部からノミの１回の跳躍での最大移動距離だけ離れた箇所のうち少なくとも一箇所をノミを誘引するのに有効な照度とすることにより、ノミを著しく高い捕獲率で捕獲でき、更にその捕獲効果に速効性があることが判る。
〔実施例２〕
（試験方法）
試験室２０の内部の上面図を図１０に示す。
屋外に設備された開放空間の試験室２０（３．５ｍ×４．５ｍ×２．５ｍ）内に、実用場面を想定して、表面がループ状の絨毯２１（２．５ｍ×４．３ｍ）を敷き、コーナーに、本発明のノミ捕獲装置２３を設置する。本発明の装置２３の概略斜視図を図１１に示す。本発明の装置２３は、粘着シート２６と高輝度発光ダイオード４２とを備えている。表面がループ状の絨毯をいた理由は、放飼したノミが絨毯に潜り込み非常に定着しやすく移動しにくい状態を作るためである。
市販品、比較例などの比較検体と比較を行う場合には対面のコーナーに、比較検体２４を設置する。比較検体２４としては、市販品のノミ駆除装置（粘着シート２６と１００Ｖのコンセントタイプの電球とを備えている）及び比較例のノミ駆除装置（粘着シート２６と表３、４に記載の特性の光源とを備えている）を用いた。
対照２５としては常に本発明の装置２３の設置位置の対角線のコーナーに粘着シート２６のみを設置する。
粘着シート２６は片側の表面だけ粘着性で、大きさは３０×２９ｃｍである。ネコノミあるいはイヌノミ１００頭（雄５０頭、雌５０頭）を絨毯の中央部（ノミ放飼位置２２）に放飼し、それから１４時間後に各粘着シートに捕獲・駆除されたノミをカウントする。試験室２０の温度、湿度を測定するため、ループ状絨毯上に自記温湿度計２７を設置した。また、絨毯の上に存在するノミの分布も観察し、中央部からの移動状況をみる。その後、ノミはそのまま試験室２０内に放置し、約４日後まで同様の調査を行う。
上記各装置において捕獲・駆除されたノミの数に基づいて捕獲率を下記式により求めた。
捕獲率（％）＝〔（捕獲ノミ数）／（供試ノミ数−死亡ノミ数）〕×１００
（結果）
経過日数に伴う捕獲率（％）を下記表３（ネコノミ）と表４（イヌノミ）に示す。尚、下記表３及び表４には、使用した光源の特性も示す。また、試験No.４〜９について、実施例１と同様に、捕獲手段としての粘着シートの端部からの距離が３０ｃｍである設置面（床面）の照度も測定し、下記表４に示した。
0003955886.tif 000004
0003955886.tif 000005
尚、試験室の気温は１０〜１８℃であった。対照、市販品以外のノミ捕獲装置は、発光ダイオードを２個装備している（図１１参照）。また、市販品は電球を１個装備している。
上記各発光ダイオードの最大発光強度は、測定器（分光側光装置）から５０ｃｍ離して発光スペクトルを測定し、Ｘ軸の波長分布に対してＹ軸に発光強度として相対的に数値化したものである。表３及び４に記載した最大発光強度は各発光ダイオードの相対発光強度の数値である。
上記各発光ダイオードの光度は、既知の発光ダイオードの光度（純青色及び純緑色）の数値を基準として測定した発光スペクトルにより推定し算出した。使用した本発明の装置の高輝度発光ダイオードは、発光スペクトルのパターンが主波長をピークに左右にほぼ正規分布している単色発光である。
上記表３及び表４の結果から、粘着シートのみでは、数日経過後においても殆ど捕獲されず、捕獲されているノミは偶然粘着シートに飛び込んだものと考えられる。
また、試験Ｎｏ．８の市販品と試験Ｎｏ．９の比較例は、ノミが殆ど捕獲されず、対照の捕獲率と殆ど同じであった。
一方、本発明の方法及び装置は、実用場面を想定した広い空間で、しかも外気温が低く、ノミの行動が鈍いにもかかわらず、数日間でかなり高い捕獲率が認められた。本発明の装置である試験Ｎｏ．４の本発明品と試験Ｎｏ．６の本発明品とでは、連続点灯方式か、点滅方式かの違いで、それ以外は同じ条件である。光源の発光を点滅させた試験Ｎｏ．４の本発明品は、連続点灯させた試験Ｎｏ．６より、捕獲率がより一層高くなっている。従って、本発明において光源は点滅方式のほうが好ましいことが判る。また、点滅方式のなかでも、点滅の周波数によって捕獲率が異なり、点滅周波数が小さい（遅い点滅周期）と捕獲率が更に向上することが判る。
本発明の装置は、ネコノミでもイヌノミでも、高い捕獲率が認められた。
〔実施例３〕
（粘着シート試料の調製）
段ボール又は厚紙を所定の大きさ（８×９ｃｍ）に裁断し、その上面を下記表５の色調として、さらに粘着剤を塗布して粘着シートの試料を調製した。
（試験方法）
１．試験装置
捕獲に用いる装置は、図１に示す形式のものであり、その光源は、２灯式〔（緑）と（白）〕であり、粘着シート保持部における粘着シートの床面に対する角度としては、「１５〜６０°傾斜」と「フラット」の場合を用意した。また、粘着シートの周囲は、粘着シートを収める部分の肉厚を想定して、高さ１ｃｍの側壁部を設けた。
光源（緑、波長５２５ｎｍ）７．８（ｃｄ）＋光源（白、波長４７０ｎｍと５６０ｎｍ）１．４（ｃｄ）を用い、合計した光度が９．２（ｃｄ）である。
２．試験室
試験室の中央に前記試験装置を置き、それから１．８ｍ離れたところにネコノミ成虫（雄：雌＝１：１）５０〜１００匹を放した。
（試験結果）
ノミを放した後、１時間後、２時間後、３時間後の捕獲数をそれぞれ測定し、それから捕獲率を算出した。試験結果を下記表５に示す。
上記装置において捕獲されたノミの数に基づいて捕獲率を下記式により求めた。捕獲率（％）＝〔（捕獲ノミ数）／（供試ノミ数−死亡ノミ数）〕×１００。
なお、「死亡ノミ数」は、本装置以外におけるノミの致死数である。
0003955886.tif 000006
上記表５の結果から、粘着シートを床面に対して傾斜させずにフラットにしたものに比べて、傾斜を設けた方が速効的に捕獲できることがわかる。３時間後の捕獲率ではフラットにしたものでも、ある程度の捕獲率の数値がでている。
本発明の装置は、ネコノミでもイヌノミでも、高い捕獲率が認められた。かつ、速効的に捕獲することができる。
〔実施例４〕
（粘着シート試料Ａの調製）
厚紙を所定の大きさ（８×９ｃｍ）に裁断し、その上面に粘着剤を塗布して粘着シートの試料Ａを調製した。この試料Ａの全反射率は、ゴニオフォトメーターにより測定したところ２５％であった。また、色調はブラウンであった。
（粘着シート試料Ｂの調製）
ボール紙を所定の大きさ（８×９ｃｍ）に裁断し、その上面にアルミニウムを蒸着した。さらにこれに粘着剤を塗布して粘着シートの試料Ｂを調製した。この試料Ｂの全反射率は、ゴニオフォトメーターにより測定したところ８５％であった（正反射中心）。また、色調はシルバーであった。
（粘着シート試料Ｃの調製）
ボール紙を所定の大きさ（８×９ｃｍ）に裁断し、その上面に転写箔を加工した。さらにこれに粘着剤を塗布して粘着シートの試料Ｃを調製した。この試料Ｃの全反射率は、ゴニオフォトメーターにより測定したところ７０％であった（正反射中心で拡散反射もする）。また、色調はゴールドであった。
（粘着シート試料Ｄの調製）
ボール紙を所定の大きさ（８×９ｃｍ）に裁断し、その上面にアルミニウムを蒸着させ、更にその表面にアルミニウム細片を付けた。さらにこれに粘着剤を塗布して粘着シートの試料Ｄを調製した。この試料Ｄの全反射率は、ゴニオフォトメーターにより測定したところ８０％であった（拡散反射中心）。また、色調はシルバーであった。
（粘着シート試料Ｅの調製）
段ボールを所定の大きさ（８×９ｃｍ）に裁断し、その上面にアルミニウム箔（８〜９μｍの厚さ）を貼りつけた（合紙した）。さらにこれに粘着剤を塗布して粘着シートの試料Ｅを調製した。この試料Ｅの全反射率は、ゴニオフォトメーターにより測定したところ５０％であった。また、色調は明るい灰色であった。
（試験方法）
１．試験装置
捕獲に用いる装置は、図１に示す形式のものであり、その光源は、高輝度発光ダイオード（緑）＋高輝度発光ダイオード（白）の２灯式であり、粘着シート保持部における上記各粘着シートの床面に対する角度としては、１５°の場合を用意した。また、粘着シートの周囲は、粘着シートを収める部分の肉厚を想定して、高さ１ｃｍの側壁部を設けた。高輝度発光ダイオード（緑、波長５２５ｎｍ）７．８（ｃｄ）＋高輝度発光ダイオード（白、波長４７０ｎｍと５６０ｎｍ）１．４（ｃｄ）を用い、合計した光度が９．２（ｃｄ）である。
２．試験室
試験室の中央に前記試験装置を置き、それから１．８ｍ離れたところにネコノミ成虫（雄：雌＝１：１）５０〜１００匹を放した。
（試験結果）
放した後、１時間後、２時間後、３時間後の捕獲数をそれぞれ測定し、それから捕獲率を算出した。試験結果を下記表６に示す。また、下記表６には、実施例１と同様に、捕獲手段としての粘着シートの端部からの距離が３０ｃｍである設置面（床面）の照度を示した。
上記装置において捕獲されたノミの数に基づいて捕獲率を上記実施例３と同様に求めた。
0003955886.tif 000007
上記表６の結果から、反射面を有する粘着シートの反射率が低い試料Ａよりも、反射面を有する粘着シートの反射率が高い試料Ｂ〜Ｅは速効的にノミを捕獲でき、より高い捕獲率であることが判る。
本発明の装置は、ネコノミでもイヌノミでも、高い捕獲率が認められ、かつ、速効的に捕獲することができる。
産業上の利用可能性
人の生活空間に存在するノミを効果的に誘引して捕獲できる優れたノミ捕獲方法及びノミ捕獲装置を提供することにある。
本発明の更なる目的は、人の生活環境に対して安全で、ノミを高い効率で誘引して捕獲できるノミ捕獲方法及びノミ捕獲装置を提供することにある。
【図１】
0003955886.tif 000008
【図２】
0003955886.tif 000009
【図３】
0003955886.tif 000010
【図４】
0003955886.tif 000011
【図５】
0003955886.tif 000012
【図６】
0003955886.tif 000013
【図７】
0003955886.tif 000014
【図８】
0003955886.tif 000015
【図９】
0003955886.tif 000016
【図１０】
0003955886.tif 000017
【図１１】
0003955886.tif 000018